(57)【要約】【課題】      基板収容部材に、遊技機に関する情報を表示する情報表示体を見栄えよく、簡単に貼付するこができる遊技機を提供する。【解決手段】  複数の電気部品が配設されている基板と、パチンコ機１（遊技機）に関する情報を表示する情報表示体と、基板を収容するとともに、情報表示体が貼付される貼付面を有する基板収容部材を備え、基板収容部材の貼付面には、情報表示体の貼付位置を指示する貼付指示部が設けられているパチンコ機１において、貼付指示部は、情報表示体が貼付指示部で指示される貼付位置に貼付された状態において視認し難く構成されている。【選択図】    図３
2006136665.tif 000002
【特許請求の範囲】
【請求項１】
複数の電気部品が配設されている基板と、遊技機に関する情報を表示する情報表示体と、前記基板を収容するとともに、前記情報表示体が貼付される貼付面を有する基板収容部材を備え、前記基板収容部材の貼付面には、前記情報表示体の貼付位置を指示する貼付指示部が設けられている遊技機であって、
前記貼付指示部は、前記情報表示体が前記貼付指示部で指示される貼付位置に貼付された状態において視認し難く構成されている、
ことを特徴とする遊技機。
【発明の詳細な説明】
【技術分野】
【０００１】
本発明は、遊技機、特に、遊技機に関する情報を表示するシールを基板収容部材に貼付する遊技機に関する。
【背景技術】
【０００２】
パチンコ機やスロットマシン等の遊技機には、複数の回路基板が遊技機の裏側（遊技者側を表側とする。）に設けられている。回路基板には、複数の電気部品、回路基板外部の部品との配線を接続するための接続端子等が配設されている。そして、各回路基板は、電気部品に対する不正を防止する等の目的のために、接続端子以外の部分は基板ボックスの内部に収容されている。
ところで、このような基板ボックスには、遊技機に関する情報、例えば、上記した接続端子への配線の接続方法、遊技機の名称、回路基板の管理番号を表示する情報表示用のシールが貼付される場合がある。従来の遊技機では、基板ボックスには、シールを貼付する位置に段差状の窪み（凹面）が設けられている（特許文献１参照）。
ここで、図１２に、基板ボックス２００に設けられた凹面２１０にシール２２０が貼付された状態の断面図を、図１３にその上面図を示す。図１２、図１３に示すシール２２０は略長方形形状にて構成されている。また、凹面２１０は、外縁２１１の長辺及び短辺がシール２２０の外縁２２１の長辺および短辺よりも若干大きい段差状の窪みとして形成されている。作業者は、目分量で、凹面２１０の外縁２１１がシール２２０の外縁２２１と平行になるように、シール２２０を凹面２１０に貼付する。
【特許文献１】特開平４−３０３４８３号公報
【発明の開示】
【発明が解決しようとする課題】
【０００３】
ところで、作業者はシール２２０を目分量で凹面２１０に貼付するため、シール２２０の外縁２２１が凹面２１０の外縁２１１と平行でない状態、すなわち、シール２２０が凹面２１０に対して傾いた状態で凹面２１０に貼付されることがある。
従来の遊技機では、凹面２１０の外縁２２１の長辺及び短辺がシール２２０の外縁２２１の長辺及び短辺より若干大きく形成されており、凹面２１０の外縁２１１とシールの縁２２１の両方が同時に視認可能である。このため、凹面２１０に対してシール２２０が傾いていると、図１４に示すように、凹面２１０の外縁２１１とシール２２０の外縁２２１の比較によって、一見してシール２２０が傾いて貼付されていることが分かり、見栄えがよくない。
シールの見栄えをよくするためには、シール２２０が凹面２１０に対して傾かないように、作業員は細心の注意を払いシール２２０を凹面２１０に貼付する必要があり、作業効率が低下する。
そこで、本発明が解決しようとする課題は、基板収容部材に、遊技機に関する情報を表示するシールを見栄えよく、簡単に貼付するこができる遊技機を提供することである。
【課題を解決するための手段】
【０００４】
前記課題を解決するための本発明の第１発明は、請求項１に記載されたとおりの遊技機である。
請求項１に記載の遊技機は、複数の電気部品が配設されている基板と、遊技機に関する情報を表示する情報表示体と、基板を収容するとともに情報表示体が貼付される貼付面を有する基板収容部材を備えている。基板収容部材の貼付面には、情報表示体の貼付位置を指示する貼付指示部が設けられている。
そして、この貼付指示部は、情報表示体が貼付指示部で指示される貼付位置に貼付された状態において視認し難く構成されている。
「基板収容部材」は基板の少なくとも一部を覆うものを広く包含し、典型的には、基板ボックスとして構成される。
「情報表示体」は、例えば、基板収容部材に貼付するシールとして構成される。情報表示体の厚みは、その目的や仕様、後述する貼付指示部の外縁の大きさや高さ等により適宜選択される。
そして、「情報表示体」に表示する情報は、遊技機に関する情報であればよく、例えば、接続端子への配線の接続方法、遊技機の名称、回路基板の管理番号が表示される。
また、「貼付面」は、基板収容部材の表面（外側の面）でもよいし、基板収容部材の裏面（基板を収容している側の面）でもよい。「貼付面」が基板収容部材の表面である場合には、例えば、情報表示体は、情報が表示されている側の面（表示面）の裏面に粘着材が設けられて粘着面となっている。また、「貼付面」が基板収容部材の裏面である場合には、情報表示体は、表示面に粘着材が設けられ粘着面となっている。
【０００５】
「貼付指示部」の形状は、情報表示体を貼付する際に作業者が情報表示体の貼付位置を認識することができる形状であればよく、基板収容部材の凸部あるいは凹部として形成されている形状を広く包含する。この凸部の形状としては、例えば、段差状の突出部（凸面）の形状、線状や点状の突起の形状を含む。また、凹部の形状としては、例えば、段差状の窪み（凹面）の形状、線状の溝や点状の孔の形状を含む。貼付指示部が凹面あるいは凸面である場合には、当該凹面あるいは凸面によって情報表示体の貼付領域（したがって、貼付位置）が指示される。もしくは、当該凹面あるいは凸面の外縁によって情報表示体の貼付位置が指示される。貼付指示部が線状や点状の突起あるいは線状の溝や点状の孔である場合には、突起あるいは溝や孔に囲まれた領域によって情報表示体の貼付領域（したがって、貼付位置）が指示される。もしくは、突起あるいは溝や孔を結んだ線によって情報表示体の貼付位置が指示される。
そして、「貼付指示部」は、少なくとも情報表示体が貼付位置に貼付された状態において視認し難く（あるいは視認不能に）構成されていればよい。したがって、好ましくは、「貼付指示部」は、例えば、情報表示体が貼付位置に貼付されていない状態においては視認可能であり、情報表示体が貼付された状態においては、当該情報表示体で覆われ、情報表示体側から視認するのが困難な（あるいは視認不能な）程度の外縁の大きさや高さに構成される。なお、この場合、情報表示体が不透明な部材で構成されていれば、覆われた貼付指示部が一層視認し難く好ましい。
なお、ここで、貼付指示部が「視認し難く構成されている」とは、少なくとも遊技機が遊技場に設置された状態で、なおかつ、上記したように少なくとも情報表示体が貼付位置に貼付された状態において、貼付位置に貼付された情報表示体と貼付指示部の相対的な位置の比較が困難であり、たとえ、情報表示体が傾いた状態で貼付指示部に貼付されていても傾いていることが両者の比較によって分かり難く構成されていることを意味する。
【０００６】
本発明の遊技機では、情報表示体の貼付位置を指示する貼付指示部が貼付面に設けられている。これにより、作業者は、情報表示体を貼付する位置を容易に認識することができる。
また、情報表示体が貼付された状態では、貼付指示部が視認し難く構成されている。これにより、情報表示体が貼付指示部に対して傾いていても、情報表示体が傾いていることを判別し難い。したがって、作業者は、従来技術ほど、情報表示体が傾かないように細心の注意を払う必要がなく、情報表示体の貼付作業が容易となる。
【発明の効果】
【０００７】
本発明の遊技機を用いれば、基板収容部材に、遊技機に関する情報を表示する情報表示体を見栄えよく、簡単に貼付することができる。
【発明を実施するための最良の形態】
【０００８】
本発明の遊技機の一実施の形態を、図１〜図６を参照して説明する。
本実施の形態は、本発明をパチンコ機として構成したものである。
本実施の形態のパチンコ機では、基板ボックスに貼付するシールに縁取り（外周線）を印刷するとともに、この縁取りと同じ形状の線に沿った線状の突起を、シールの貼付位置を示す貼付指示部として基板ボックスの表面に設けている。
なお、図１には、パチンコ機の裏側(遊技者側を表側とする。)の全体構成を斜視図で示す。図２には、基板ボックスに貼付するシールを示す。図３には、シールを貼付する位置を示す突起が設けられた基板ボックスの上面図を示す。図４、図５には、当該突起により示されるシール貼付位置にシールを貼付する場合の断面図を示す。図６には、シールの外縁と、当該突起の相対的位置を説明する図を示す。
【０００９】
まず、図１を用いて、パチンコ機１の裏側の状態を説明する。パチンコ機１の裏側には、本体枠１０に遊技動作を実行させるための各種装置が取り付けられている。例えば、パチンコ機１の裏側には、遊技球を貯留する球貯留タンク１１、球貯留タンク１１に貯留されている遊技球を球払い出し装置に誘導するタンクレール１２等が設けられ、遊技球がパチンコ機１の裏側や表側を流下する構成となっている。また、本体枠１０に配設されるパネル（特に図示していない。）には、パチンコ機１の機種特有の遊技動作を実行するための各種装置が設けられている。
このために、パチンコ機１の裏側には、複数の回路基板が設けられている。図１に示すパチンコ機１では、パチンコ機１の表示（液晶表示器への表示）に関する制御を行う表示制御回路が配設されている表示制御基板１０１が内部に収容されている基板ボックス１００が、パチンコ機を遊技場に配設した状態でのタンクレール１２の鉛直方向下部に配設されている。基板ボックス１００は、基板ボックス１００の内部（収容されている基板１０１に配設されている電子部品）が視認可能な透明性を有する樹脂等で形成されている。また、パチンコ機１と遊技場に設けられたホールコンピュータとの遊技情報の送受信のための配線を接続する接続端子が複数設けられた外部端子基板３１０が、基板ボックス１００の鉛直方向上方に配設されている。
本実施の形態の基板ボックス１００は本発明の「基板収容部材」に対応する。
【００１０】
基板ボックス１００には、図２に示す情報表示用のシール１２０が貼付される。
シール１２０は、不透明な紙等のシート部材の一方側の面（粘着面）に粘着材が塗布されて構成されている。また、シール１２０は、長辺８２ｍｍおよび短辺３０ｍｍの長方形の１つの角部（図２に示す左上の角部）が、頂点から各辺につき５ｍｍずつの寸法で面取りされた外形形状にて構成されている。
また、シール１２０の粘着面とは反対側の面（表示面）の表示部の外周には、シール１２０の外縁１２１よりも１．５ｍｍずつ内側の位置に、外縁１２１を縮小した形状の縁取り（外周線）１２２が印刷されている。シール１２０の表示面には、外部端子基板３１０（併せて、図１参照）に設けられた各接続端子により送受信されるパチンコ機１の遊技情報の種類が、各接続端子の配色に対応して表示されている。
各接続端子及び各接続端子に対応する遊技情報の種類については、本発明の趣旨とは関係ないので説明を省略する。
本実施の形態の「シール１２０」は、本発明の「情報表示体」あるいは「情報表示シール」に対応する。
【００１１】
また、図３に示すように、基板ボックス１００には、外部端子基板３１０に近い位置（図１、図３に示す右上側）に、シール１２０の貼付位置を示す突起１１０が設けられている。突起１１０は、作業員が、突起１１０で指示されている貼付位置にシール１２０を貼付した状態において、基板ボックス１００の外部から視認困難（好ましくは、視認不能）となるように構成されている。
本実施の形態では、突起１１０は、シール１２０の縁取り１２２と略同一の形状に沿って、基板ボックス１００の表面から０．５ｍｍ程度突出した線状の突起として形成されている。すなわち、突起１１０は、シール１２０の外縁１２１と同じ形状の領域内に設けられ、突起１１０により囲まれた領域によってシール１２０の貼付領域、したがって貼付位置が指示される。
突起１１０は、基板ボックス１００が成型される際に同時に一体成形される。
本実施の形態の基板ボックス１００の「表面」は本発明の基板収容部材の「貼付面」に対応し、「突起１１０」は本発明の「貼付指示部」に対応する。
【００１２】
このように構成された基板ボックス１００の突起１１０が示すシール１２０の貼付位置に、図４に示すように、シール１２０を貼付する。
作業者は、シール１２０の縁取り１２２と突起１１０の形状を合わせるように、したがって、面取りしてある角部が左上に配置されるように（併せて、図２、図６参照）、シール１２０の粘着面を突起１１０の側に近接させる。そして、シール１２０の粘着面を突起１１０に当接させ、表示面からシール１２０を指でなぞる。これにより、図５、図６に示すように、シール１２０が突起１１０を覆うように貼付される。
なお、図４、図５については、説明の便宜上、突起１１０の高さ（基板ボックス１００の表面からの高さ）、及び、シール１２０の外縁１２１から縁取り１２２までの寸法（すなわち、シールの外縁１２１から突起１１０までの寸法）を大きくして表示してある。実際には、図４、図５に示すよりも突起１１０の高さは小さく、したがって、突起１１０の位置でのシール１２０の隆起は、図４、図５に示す程大きくない。しかも、突起１１０はシール１２０の縁取り１２２と同様の形状に形成されているので、突起１１０の位置でのシール１２０の隆起は縁取り１２２と重なり、シール１２０貼付後には突起１１０の存在はわからない構成となっている。
【００１３】
こうして基板ボックス１００に貼付されたシール１２０に表示されている外部端子基板３１０（併せて、図１参照）の接続端子の配色と、各接続端子に対応する遊技情報の種類を見て、当該パチンコ機１が設置された遊技店のスタッフは、外部端子基板３１０の接続端子に配線を接続する。
なお、パチンコ機は、本体枠１０は変更せず、本体枠１０に配設してあるパネルを変更することにより機種替えを行う場合がある。この場合、外部端子基板３１０の接続端子を用いて送受信される遊技情報には、パネルの変更に伴って変更される情報（一般的に、パネル側の情報と称呼している。図２参照）と、変更されない情報（一般的に、枠側の情報と称呼している。）がある。したがって、上記した内容が表示されているシール１２０を本体枠１０側（外部端子基板３１０を含む。）に貼付した場合には、パネルの変更（機種替え）を行った時に、既に貼付してあるシール１２０を剥がして、異なる内容が表示されているシールを貼付しなおす必要がある。
本実施の形態では、表示制御基板１０１が収容された基板ボックス１００にシール１２０を貼付している。表示制御基板１０１が収容された基板ボックス１００は、パネル側の部品の一つであるため、パネルの変更に伴って変更される。したがって、パネルの変更の際、貼付してあるシールを剥がす必要がなく、異なる内容が表示されているシールを、変更された基板ボックス１００に貼付するだけでよい。
なお、本実施の形態では、一例として、上記した内容を表示したシール１２０を表示制御基板が収容された基板ボックス１００に貼付する場合について説明したが、シールに表示される内容は、これに限定されるものではなく、遊技機の名称、回路基板の管理番号等種々の内容を表示可能であるとともに、シールを貼付する基板ボックスは、勿論、払出制御基板、主制御基板等の回路基板が収容されている基板ボックスでもよい。
【００１４】
本実施の形態のパチンコ機１によれば、シール１２０の貼付位置を指示する突起１１０が基板ボックス１００の貼付面に設けられている。これにより、作業者は、シール１２０を貼付する位置を容易に認識することができる。また、シール１２０が貼付された状態では、突起１１０はシール１２０に全て覆われるので、突起１１０を視認し難くい。これにより、シール１２０を貼付位置に貼付した状態では、シール１２０と突起１１０を同時に視認することがなくなり、シール１２０が突起１１０に対して傾いていても、シール１２０が傾いていることを判別し難い。したがって、作業者は、従来技術ほど、シール１２０が傾かないように細心の注意を払う必要がなく、シール１２０の貼付作業が容易となる。これにより、パチンコ機１の組み立てに要する時間を低減することができ、組み立てコストを低減することができる。
また、突起１１０は基板ボックス１００の表面から突出するように形成されているので、作業者は、指等で触ることによって突起１１０を認識することができる。このため、照明等の都合により突起１１０が視認し難い場所でも、基板ボックス１００に簡単に見栄えよくシール１２０を貼付することができる。
【００１５】
また、基板ボックス１００は、基板ボックス１００に対する不正（例えば、基板ボックス１００に収容されている表示制御基板１０１に配設されている電気部品を不正な電気部品に交換する不正）を容易に発見できるようにするために、基板ボックス１００の外部から基板ボックス１００を通して、基板ボックス１００の内部（基板ボックス１００に収容されている表示制御基板１０１に配設されている電気部品）を視認可能に構成されている。本実施の形態では、基板ボックス１００は、透明の樹脂により形成されている。
一方、シール１２０は、シール１２０に表示されている情報を容易に視認することができるように構成されている。本実施の形態では、基板ボックス１００が透明の樹脂により形成されているため、シール１２０は、不透明な紙（例えば、白色等の色を有する紙）により形成されている。すなわち、シール１２０は、基板ボックス１００の外部から、シール１２０及び基板ボックス１００を通して、基板ボックス１００に収容されている表示制御基板１０１のシルク印刷や、表示制御基板１０１に配設されている電気部品を視認し難く構成されている。したがって、遊技場のスタッフ等が貼付されているシール１２０を見た際に、シール１２０を通して表示制御基板１０１のシルク印刷や、表示制御基板１０１に配設されている電気部品が透けて見えることにより、シール１２０に表示されている情報が見難いといった事態の発生を回避することができる。
【００１６】
また、シール１２０及び突起１１０は、シール１２０を突起１１０で指示されている貼付位置に正しい向きに貼付することができるように構成されている。本実施の形態では、シール１２０及び突起１１０は、長方形形状に形成されているとともに、長方形形状の１つの角部が面取りされている。これにより、作業者は、シール１２０を突起１１０で指示される貼付位置に貼付する際に、面取り部の位置を合わせることにより、誤って上下逆に貼付するのを防止することができる。
【００１７】
また、本実施の形態において、突起１１０と縁取り１２１が重なるようにシール１２０が貼付された場合、シール１２０の表示面が突起１１０により隆起しないように構成（例えば、シール１２０の厚さや突起１１０の形状）されるのが好ましい。しかしながら、シール１２０の外縁との比較によってシール１２０が傾いて貼付されていることが分かり難い範囲内で、シール１２０の表示面が隆起するように構成されていてもよい。このような隆起が生じるように構成する場合には、縁取り１２１が立体的になり、シール１２０の存在が強調されてシール１２０に表示されている情報が目立ち易いといった効果が得られる。
【００１８】
本実施の形態では、突起１１０を、シール１２０の縁取り１２１と略同一の線に沿って連続して配設されるように設けた場合について説明したが、図７、図８に示すように、縁取り１２１と同じ形状の線に沿って部分的に配設されるように設けてもよい。
図７には、縁取り１２２の辺の一部に沿った線状の凸部（突起１１０ａ）が形成されている。
図８には、縁取り１２２の角の位置に点状の凸部（突起１１０ｂ）が形成されている。
突起１１０ａ，１１０ｂは、図７、図８の形状に限定されるものではなく、シール１２０を貼付する際に、シール１２０の縁取り１２２と位置合わせが可能に構成されていればよい。
【００１９】
本発明は、実施の形態で説明した構成に限定されず、種々の変更、追加、削除が可能である。
本実施の形態では、貼付指示部が、凸部である突起１１０として形成されている場合について説明したが、図９に示すように、貼付指示部は、線状の凹部（溝１３０）として形成されていてもよい。この場合も、シール１２０の貼付領域（したがって、貼付位置）は、実施の形態と同様、溝１３０に囲まれた領域によって指示される。溝１３０と縁取り１２１が重なるようにシール１２０が貼付された場合、シール１２０の表示面が溝１３０により窪まないように構成（例えば、シール１２０の厚さや溝１３０の形状）されるのが好ましい。しかしながら、シール１２０の外縁との比較によってシール１２０が傾いて貼付されていることが分かり難い範囲内で、シール１２０の表示面が窪むように構成されていてもよい。このような窪みが生じるように構成する場合には、シール１２０の表示面が立体的になり、シール１２０の存在が強調されてシール１２０に表示されている情報が目立ち易いといった効果が得られる。
また、凹部は、図１０に示すように、段差状の窪みの凹面１４０として形成されていてもよいし、凸部は、図１１に示すように、段差状に突出した凸面１５０として形成されていてもよい。この場合には、シール１２０の貼付領域（したがって、貼付位置）は、凹面１４０や凸面１５０によって指示される。
また、シールの貼付面は基板ボックスの裏面（基板が収容されている側）でもよい。この場合、基板ボックスの表側から見て、貼付指示部がシールで覆われることはないが、例えば、貼付指示部が元々視認し難く（視認し難い程、貼付指示部の高さが低く）、作業者が指等で触れれば確認できるように構成されていれば、勿論、貼付指示部はシールが貼付された場合にも視認し難い構成となる。なお、この場合、シールの表示面に粘着材が設けられる。このような構成によれば、貼付後にシールの表示面が汚れ難く、シールに表示されている内容が長期間見易い状態を維持することができる。
【００２０】
本発明の趣旨に鑑み、以下の態様を構成することができる。
「（態様１）複数の電気部品が配設されている基板と、遊技機に関する情報を表示する情報表示シールと、前記基板を収容するとともに、前記情報表示シールが貼付される貼付面を有する基板収容部材を備え、前記基板収容部材の貼付面には、前記情報表示シールの貼付位置を指示する貼付指示部が設けられている遊技機であって、
前記貼付指示部は、前記情報表示シールによって被覆可能に構成されている、
ことを特徴とする遊技機。」
本態様の遊技機は、複数の電気部品が配設されている基板と、遊技機に関する情報を表示する情報表示シールと、基板を収容するとともに情報表示シールが貼付される貼付面を有する基板収容部材を備えている。基板収容部材の貼付面には、情報表示シールの貼付位置を指示する貼付指示部が設けられている。
そして、この貼付指示部は、情報表示シールによって被覆可能に構成されている。
本態様の遊技機によれば、情報表示シールを貼付した後には、情報表示シールで貼付指示部が被覆可能に構成されているので、情報表示シールが貼付指示部に対して傾いていても、情報表示シールが傾いていることを判別し難い。したがって、作業者は、図１２〜図１４を用いて説明した従来技術ほど、情報表示シールが傾かないように細心の注意を払う必要がなく、情報表示シールの貼付作業が容易となる。
【００２１】
「（態様２）態様1に記載の遊技機であって、
前記貼付指示部は、前記情報表示シールの外縁と同じ外縁を有する領域内に、前記貼付面から突出して形成された凸部である、
ことを特徴とする遊技機。」
本態様の遊技機の貼付指示部は、情報表示シールの外縁と同じ外縁を有する領域内に、貼付面から突出して形成された凸部として構成されている。
「凸部」とは、段差状の突出部（凸面）、線状や点状の突起等を含む。凸部が凸面である場合には、当該凸面によって情報表示シールの貼付領域（したがって、貼付位置）が指示される。もしくは、当該凸面の外縁によって情報表示シールの貼付位置が指示される。凸部が線状や点状の突起である場合には、突起に囲まれた領域によって情報表示シールの貼付領域（したがって、貼付位置）が指示される。もしくは、突起を結んだ線によって情報表示体の貼付位置が指示される。
本態様の遊技機によれば、貼付指示部は、基板収容部材の情報表示シールの貼付面より凸状に構成されているので、作業者が指等で触っても分かり易く、照明等の都合により視認し難い場所でも、シールを貼付する位置を確認し易い。したがって、基板収容部材に簡単に見栄えよく情報表示シールを貼付することができる。
また、基板収容部材の型を作成するにあたり、貼付指示部については該当する箇所を彫ればよいので、型の作成が容易である。
【００２２】
「（態様３）態様２に記載の遊技機であって、
前記凸部は、突起であることを特徴とする遊技機。」
本態様の遊技機では、凸部は突起として構成されている。
「突起」は、基板収容部材において、好ましくは、シールの外縁と同じ形状の領域内に配置される。
「突起」としては、線状や点状の形状のものを含む。したがって、連続的な突起でもよいし、離散的な突起でもよい。そして、突起に囲まれた領域によって情報表示シールの貼付領域（したがって、貼付位置）が指示される。もしくは、突起を結んだ線によって情報表示体の貼付位置が指示される。
本態様の遊技機によれば、貼付指示部は、基板収容部材の情報表示シールの貼付面より凸状に構成されているので、作業者が指等で触っても分かり易く、照明等の都合により視認し難い場所でも、シールを貼付する位置を確認し易い。したがって、基板収容部材に簡単に見栄えよく情報表示シールを貼付することができる。
また、基板収容部材の型を作成するにあたり、貼付指示部については該当する箇所を線状あるいは点状に彫ればよいので、型の作成が一層容易である。
【００２３】
「（態様４）態様１に記載の遊技機であって、
前記貼付指示部は、前記情報表示シールの外縁と同じ外縁を有する領域内に、前記貼付面から窪んで形成された凹部である、
ことを特徴とする遊技機。」
本態様の遊技機の貼付指示部は、情報表示シールの外縁と同じ外縁を有する領域内に、貼付面から窪んで形成された凹部として構成される。
「凹部」とは、段差状の窪み（凹面）、線状の溝や点状の孔の形状を含む。凹部が凹面である場合には、当該凹面によって情報表示シールの貼付領域（したがって、貼付位置）が指示される。もしくは、当該凹面の外縁によって情報表示シールの貼付位置が指示される。凹部が線状の溝や点状の孔である場合には、溝や孔に囲まれた領域によって情報表示シールの貼付領域（したがって、貼付位置）が指示される。もしくは、溝や孔を結んだ線によって情報表示体の貼付位置が指示される。
本態様の遊技機によれば、貼付指示部は、基板収容部材の情報表示シールの貼付面より凹状の面（段差状の窪み）として構成されているので、貼付後のシールにおいて隆起する部分がなく表面が汚れ難い。
【００２４】
「（態様５）態様1〜４のいずれかに記載の遊技機であって、
前記情報表示シールには、前記情報を表示する表示部の外周に外周線が表示されており、
前記貼付指示部は、前記情報表示シールに表示されている外周線と同じ形状の線に沿って形成されている、
ことを特徴とする遊技機。」
本態様の遊技機では、情報表示シールには、情報を表示する表示部の外周に外周線が表示されており、貼付指示部は、情報表示シールに表示されている外周線と同じ形状の線に沿って形成されている。
なお「外周線」は、１周連続して表示されていなくてもよく、途中で途切れていてもよい。
「外周線と同じ形状の線に沿って形成される」とは、外周線に沿った線や点等、少なくとも外周線の一部に沿った貼付指示部が構成されていればよい。
本態様の遊技機によれば、作業者は、情報表示シールを貼付指示部が示す貼付位置に貼付する際に、情報表示シールの外周線と貼付指示部の形状を合わせるように貼付すればよいので、情報表示シールを貼付位置に貼付し易い。
また、貼付指示部が凸部として構成されている場合には、情報表示シールを貼付指示部に貼付した状態では、貼付指示部により隆起した部分が外周線と重なり、貼付指示部の存在がわかり難い。したがって、情報表示体が貼付指示部に対して傾いていても、情報表示体が傾いていることを一層判別し難い。このため、作業者は、従来技術ほど、情報表示体が傾かないように細心の注意を払う必要がなく、情報表示体の貼付作業が容易となる。
【００２５】
「（態様６）態様1〜５のいずれかに記載の遊技機であって、
前記基板収容部材は、前記基板収容部材の内部を、当該基板収容部材を通して視認可能に形成され、
前記情報表示シールは、当該情報表シールが前記貼付面に貼付された状態で、前記基板収容部材の内部を、当該情報表示シールおよび前記基板収容部材を通して視認不能に構成されている、
ことを特徴とする遊技機。」
本態様の遊技機では、基板収容部材は、基板収容部材の内部を、当該基板収容部材を通して視認可能に形成され、情報表示シールは、情報表シールが前記貼付面に貼付された状態で、基板収容部材の内部を、当該情報表示シールおよび基板収容部材を通して視認不能に構成されている。
本態様の遊技機では、例えば、基板収容部材は透明性を有しており、情報表示シールは不透明性を有している。したがって、基板収容部材にシールが貼付された場合に、基板収容部材を通して視認することができる基板が情報表示シールの貼り付け位置では、視認することができない構成となっている。これにより、シールの表示内容が基板に印刷されているシルク印刷による部品番号の表示等により見え難くなることがない。
【図面の簡単な説明】
【００２６】
【図１】パチンコ機１の裏側(遊技者側を表側とする。)の全体構成を斜視図で示す。
【図２】表示制御基板の基板ボックス１００に貼付する情報表示用のシール１２０を示す。
【図３】シール１２０を貼付する位置を示す突起１１０が設けられた基板ボックス１００の上面図を示す。
【図４】突起１１０が示すシール１２０の貼付位置に、シール１２０を貼付する場合の断面図を示す。
【図５】突起１１０が示すシール１２０の貼付位置に、シール１２０を貼付する場合の断面図を示す。
【図６】シール１２０の外縁１２１と、突起１１０の関係を説明する図を示す。
【図７】縁取り１２１の辺の一部に沿った突起１１０ａを示す。
【図８】縁取り１２１の角の位置に点状に形成されている突起１１０ｂを示す。
【図９】貼付指示部が基板ボックス１００の表面に形成されている溝１３０である場合を示す。
【図１０】貼付指示部が段差状の窪みの凹面１４０として形成されている場合を示す。
【図１１】貼付指示部が、段差状に突出した凸面１５０として形成されている場合について示す。
【図１２】シール２２０が貼付された従来の基板ボックス２００の断面図を示す。
【図１３】シール２２０が貼付された従来の基板ボックス２００の上面図を示す。
【図１４】シール２２０が傾いて貼付された場合の従来の貼付指示部を示す。
【符号の説明】
【００２７】
１  パチンコ機
１０  本体枠
１１  球貯留タンク１１
１２  タンクレール
１００  基板ボックス
１１０  突起
１２０  情報表示シール
１２１  外縁
１２２  縁取り
３１０  外部端子基板
【図１】
2006136665.tif 000003
【図２】
2006136665.tif 000004
【図３】
2006136665.tif 000005
【図４】
2006136665.tif 000006
【図５】
2006136665.tif 000007
【図６】
2006136665.tif 000008
【図７】
2006136665.tif 000009
【図８】
2006136665.tif 000010
【図９】
2006136665.tif 000011
【図１０】
2006136665.tif 000012
【図１１】
2006136665.tif 000013
【図１２】
2006136665.tif 000014
【図１３】
2006136665.tif 000015
【図１４】
2006136665.tif 000016